(57)【要約】      （修正有）【課題】煩雑な運転操作から解放されて道路脇等の溝の掃除を能率よく行うことが出来ると共に溝の掘削も可能で、又ショベルカーの本体を近づけることが困難な壁近く等の溝の掘削をできるようにする。【解決手段】ショベルカーにおいてバケット１とバケットアーム３及びバケットシリンダー４を連結するための接続金具２を設け、前記接続金具とバケットにバケットが溝の側面から外力を受けて回動するようにバケットの回動機構を設けると共に回動幅を制限したり回動を固定したりする回動制限手段を設けた。【選択図】図１
2020180464.tif 000002
【特許請求の範囲】
【請求項１】
バケットとバケットアーム及びバケットシリンダーを連結するための接続金具を設け、前記接続金具とバケットにバケットの回動機構を設けると共に回動制限手段を設けたことを特徴とするショベルカーのバケット
【請求項２】
前記回動制限手段はバケットの回動幅を制限する手段であり、単一の回動幅に制限する手段又は複数の異なった回動幅のうちいずれかを選択して制限する手段である請求項１に記載したショベルカーのバケット
【請求項３】
前記回動制限手段はバケットとバケットアームの方向が同一になるようにバケットの回動を固定できるものである請求項１に記載したショベルカーのバケット
【請求項４】
前記回動制限手段はバケットとバケットアームの方向を単一の異なった方向に又は複数の異なった方向の中から選択して一の方向に固定できるものである請求項１に記載したショベルカーのバケット
【請求項５】
前記回動機構の回動の中心をバケットの長さ方向の開口部側の先端と反対側の非開口部である土砂等の受け側の後端の間の中間位置よりも開口部側に設けた請求項１に記載したショベルカーのバケット  
【発明の詳細な説明】
【技術分野】
【０００１】
本発明は道路脇等に設けられた溝の掃除を能率よく行うことが出来ると共に溝の掘削も可能でまたショベルカー本体を近づけることが困難な場所での溝の掘削も行うことが出来るショベルカーのバケットの回動機構に関する。        
なお、本発明のショベルカーには油圧ショベルやバックホーという名称のものやこれらと同等の機能を有するものも含まれる。
【背景技術】
【０００２】
従来、道路脇等に設けられた溝の掃除をし易くするためのショベルカー等の提案がなされている。
特許文献１のものはパワーショベル、バックホーに係るものであって小型で運転席足元にバケットアームの基端部を設けて小回りが利くようになっており、溝内の泥等の掃除をし易くしてある。
【０００３】
しかし、バケットは回動機構を有しておらず、バケットが溝の側面に接触しないようにするために、アームシリンダーやバケットシリンダー等の操作は煩雑になり更にショベルカー本体を頻繁に移動させなければならない。
又、道路脇等の壁や障害物があるところでの溝の掘削はショベルカー本体を近づけることが困難であるために難しい。
【０００４】
特許文献２のものはバケットを回動可能にして溝内で溝の側面に接触すると
溝の側面からの力の作用によりバケットが溝の方向へ沿うように回動するようになっており、アームシリンダーやバケットシリンダー等の頻繁な操作の必要性を少なくしている。
しかし、バケットの回動制限手段を有しておらず、溝の掘削はできないし、又バケットが強くまた頻繁に溝の側面に接触して溝の掃除が困難になったり、バケットが溝の側面を損傷させたりする恐れがある。
【先行技術文献】
【特許文献】
【０００５】
【特許文献１】特開平１１−２６９９３６号公報
【特許文献２】実開平７−２５８５公報
【発明の概要】
【発明が解決しようとする課題】
【０００６】
本発明は道路脇等の溝の掃除を能率良く行えるようにすると共に溝の掘削もできてまた壁や障害物の近くでも溝の掘削を行えるようにするショベルカーのバケットに係るものである。
【課題を解決するための手段】
【０００７】
上記課題を解決するために本発明はバケットとバケットアーム及びバケットシリンダーを連結するための接続金具を設け、前記接続金具とバケットにバケットの回動機構を設けるとともに回動制限手段を設けた。
【０００８】
前記回動制限手段はバケットの回動幅を制限する手段であり、単一の回動幅に制限する手段又は複数の異なった回動幅の内、いずれかを選択して制限する手段とするとよい。
なお、回動幅とはバケットが回動により動くことが出来る範囲である。
【０００９】
前記回動制限手段はバケットとバケットアームの方向が同一になるようにバケットの回動を固定するようにしてもよい。
前記、方向が同一とは平面投影的に同一ということである。
以下、本発明の説明の他の部分においても同様である。
【００１０】
前記回動制限手段はバケットとバケットアームの方向を単一の異なった方向に、又は複数の異なった方向の中から選択して一の方向に固定できるようにしてもよい。
前記、異なった方向とは平面投影的に異なった方向ということである。
以下、本発明の説明の他の部分においても同様である。
【００１１】
前記回動機構の回動の中心をバケットの長さ方向の開口部側の先端と反対側の非開口部である土砂等の受け側の後端の間の中間位置よりも開口部側に設けると良い。
【００１２】
なお、バケットの長さ方向とは詳細は実施例の図７において説明するが、バケットの幅方向に対するものであって開口部側とその反対側の非開口部である土砂等を受ける側を結ぶ方向である。
【発明の効果】
【００１３】
道路脇等の溝の掃除をする場合、ショベルカーの本体は溝の横に位置するので、バケットアームの先端にバケットアームと平面投影的に同一の方向に取り付けられているバケットは溝の方向と同じにはならない。
従って小型で小回りが利くようにしたショベルカーでもアームシリンダーとバケットシリンダー等の煩雑な操作が必要になり、またショベルカー本体も頻繁に移動させなければならない。
【００１４】
本発明の場合にはバケットは回動可能になっているので、バケットアームと溝が平行でなくてもバケットを溝に中に入れることが出来、又溝の掃除の進行によってバケットアームと溝の方向との角度が大きくなってもバケットは溝の内壁に接触して外力を受けて回動し、バケットの方向が溝の方向と同じになる。
従ってアームシリンダーとバケットシリンダー等の操作の煩雑さは軽減され、更にショベルカー本体の頻繁な移動の必要性も減少する。
【００１５】
更に本発明はバケットの回動機構と共に回動制限手段も有するので、いたずらな回動を抑制し、溝の中にバケットを入れ易くなるし、バケットが溝の内壁を損傷させることも軽減できる。
【００１６】
更にバケットは回動制限手段をも有することにより、溝の清掃作業だけでなく回動を制限して溝の掘削も可能となる。
【００１７】
以上のことにより本発明のバケットの回動機構と回動制限手段を有するショベルカーは溝の掃除を能率的に行うことが出来るとともに、溝の掘削も行うことが出来、ショベルカーの使途が拡大する。
【００１８】
回動制限手段をバケットの回動幅を制限する手段として、単一の回動幅に制限する手段又は複数の異なった回動幅の内、一つを選択して制限する手段としたので、溝の幅や溝とショベルカーの位置関係やショベルカーの移動頻度との関係等の作業環境との関係で複数の回動幅の中から一の回動幅を選択して、溝の掃除ができるようになり能率が高まる他、バケットが溝の内壁にいたずらに接触して溝の内壁を損傷することも減少させることが出来る。
【００１９】
回動制限手段でバケットとバケットアームの方向が平面投影的に同一になるようにバケットの回動を固定することもできるようにしたので、バケットの回動をさせずにバケットアームと同じ方向に力強く溝堀りをすることが出来る。
【００２０】
回動制限手段はバケットとバケットアームの方向を単一の異なった方向に又は複数の異なった方向の中から選択して一の方向に固定できるようにしたので、溝の掘削において溝の横に壁等の障害物があってショベルカー本体を溝に近づけることが出来ない場合でもアームシリンダーとバケットシリンダー等の操作により溝を掘削できる。
更に作業環境に応じて前記複数の異なった方向のうちから選択してバケットアームとバケットの方向の関係を決めることが出来るので、ショベルカーの作業範囲が拡大して、溝堀作業はますます便利になる。
【００２１】
回動機構の回動の中心をバケットの長さ方向の開口部側の先端と開口部側の反対側の非開口部である土砂等の受け側の後端の間の中間位置よりも開口部側に設けたので、回動機構による開口部側の振れ幅よりも反対側の非開口部である土砂等受け側の振れ幅の方が大きくなり、溝の側面に接触するのは主として非開口部である土砂等の受け側になる。
【００２２】
バケットの開口部側は泥等の掃除や土砂等の掘削のために角張っており、また鋭利な部分もある。
そのためコンクリート製の溝の内壁に接触すれば内壁に損傷を与えやすい。
一方、バケットの前記非開口部土砂等受け側は角張っておらず、鋭利な部分もないので溝の内壁に接触しても損傷を与えない。
【図面の簡単な説明】
【００２３】
【図１】本発明の実施の形態を示すショベルカーの全体模式図である。
【図２】本発明を説明するための従来技術の説明図である。
【図３】本発明の実施の形態を示すショベルカーの平面模式図（１）である。
【図４】本発明の実施の形態を示すショベルカーの平面模式図（２）である。
【図５】バケットの回動機構と回動制限手段を表す実施例１の断面図である。
【図６】バケットの回動機構と回動制限手段を表す実施例１の斜視図である。
【図７】バケットの回動機構と回動制限手段を表す実施例２の断面図である。
【図８】バケットの回動機構と回動制限手段を表す実施例２の斜視図である。
【発明を実施するための形態】
【００２４】
以下、本発明の好適な実施形態を図面に基づいて説明する。
図１は本発明の実施の形態を示すショベルカーの全体の模式図である。
バケット１は接続金具２を介してバケットアーム３とバケットシリンダー４に
取り付けられている。バケットの位置はアームシリンダー5等により、バケット
の傾きはバケットシリンダー4によって操作される。
【００２５】
図２は本発明を説明するための従来技術の説明図である。
バケットアーム３を動かしていくことによりバケット１を矢印の方向へ移動させて溝１０の掃除をする。
バケットが回動部１２を有さない場合にはショベルカー本体６をできるだけ溝１０へ近づけて、バケットアーム３をなるべく溝１０の方向へ近づくようにしないと溝１０の掃除ができない。
更に、アームシリンダー５とバケットシリンダー４等の操作は煩雑になり、又ショベルカー本体６を頻繁に移動させる必要がある。
なお、円形の一点鎖線内は溝等の断面図である。
【００２６】
回動部１２を有する従来技術の場合にはバケットアーム３と溝１０の方向が変わっても溝１０の掃除ができるが本発明の構成の一部である回動制限手段２４を有さないので、バケットが外力によって回動してしまうので溝の掘削作業はできない。
又、溝１０を掃除する場合であってもバケットが溝１０の内壁に頻繁に接触して作業が困難になったり、内壁を損傷したりする。
なお、溝の溝蓋部１１には溝蓋が挿入されて並べられる。
【００２７】
図３は本発明の実施の形態を示すショベルカーの平面模式図（１）である。
詳細は図５〜図８において説明するがバケット１と接続金具２にはバケット１の回動機構が付いているので、溝の掃除を進めるためにバケットアーム３を移動させて溝10との平面投影的角度が変わってもバケット1の側面が溝10の側面に接触してバケット1の側面が力の作用を受けて回動して溝の方向に沿うようになる。
その結果、アームシリンダー5とバケットシリンダー4等の煩雑な操作は軽減されるし、またショベルカー本体の頻繁な移動の必要性も減少して溝10の掃除作業の能率が大幅に向上する。
なお、バケット１の幅と溝１０の内側の幅との関係についてはバケット１の側面と溝１０の内壁の距離が片側で５ｃｍ位になるような幅のバケット１を選択して使用することが望ましい。
なお、円形の一点鎖線内は溝等の断面図である。
【００２８】
更に、回動制限手段２４他も有するので溝の掘削作業もできるようになるし、いたずらに回動してバケット１を溝１０に入れにくくなることもないし又バケット１が溝１０の内壁に頻繁に又強く接触して前記内壁を損傷することも少なくなる。
【００２９】
図４は本発明の実施の形態を示すショベルカーの平面模式図（２）である。
回動固定ピン２４を回動固定片２９のピン押し込み穴２８を通してバケット１の固定穴３０または３１へ差し込むことにより回動は制限される。
【００３０】
固定穴３１の中からの位置の選択により例えば（ｂ）に示すようにバケット１をバケットアームの方向と平面投影的角度が異なるように固定することにより、バケットアーム３の方向とは異なる方向へも溝の掘削１４を行うことが出来るようになる。
このことは道路脇等の壁１５の近くにそれと平行にでも溝の掘削１４を行うことが出来るということでありショベルカーの使途が大幅に拡大する。
【００３１】
固定穴３０の位置に回動固定ピン２４を差し込めばバケットアーム３とバケット１の平面投影的方向は同一になり、（ａ）に示すようにバケットアーム３と同じ方向へ溝の掘削１４を行うことが出来る。
【００３２】
更に固定穴３１の別の穴を選択することにより、バケットを（ｃ）に示す方向へも固定出来てバケットアーム３に対して別の角度で溝の掘削１４を行うことが出来る。
【００３３】
図５はバケットの回動機構と回動制限手段を表す実施例１の断面図である。
接続金具２に回動アーム２０が取り付けられており、バケット側に固定されているジョイント部２１へ挿入され、ピン２２が差し込まれナット２３で外れないようにされる。
それによりバケット１はピン２２を中心に回動できるようになっている。なお回動を固定する場合には回動制限手段の回動固定ピン２４で回動を止める。接続金具２は接続穴２５を利用してバケットシリンダー４へ、接続穴２６を利用してバケットアーム３へ取り付けられる。
【００３４】
図６はバケットの回動機構と回動制限手段を表す実施例１の斜視図である。
接続金具２には回動アーム２０があり、これがバケットジョイント部２１へ挿入されてピン２２を通してナット２３で外れないようにされる。
これによりバケット１はピン２２を中心にして回動可能になる。
接続金具２には回動固定片２９があり、ピン押し込み穴２８とバケット１の固定穴３０，３１のいずれかに固定ピン２４を差し込むことにより回動を止めることが出来る。固定穴３０，３１は複数個ありバケット１をバケットアーム３に対して平面投影的にどの向きにするかの必要に応じて選択することが出来る。
なお、固定穴は例えば固定穴３０だけを設ける場合もあり、この場合にはバケットとバケットアームの平面投影的方向は同一に固定される。
また固定穴３１のうち一つの固定穴を設ける場合もあるし、複数の固定穴を設ける場合もある。
【００３５】
図７はバケットの回動機構と回動制限手段を表す実施例２の断面図である。
図５に表されている実施例１のバケットの回動機構と同様であるが、回動制限手段が実施例１と異なる。
このことは図８において説明する。
【００３６】
図８はバケットの回動機構と回動制限手段を表す実施例２の斜視図である。
接続金具２には回動アーム２０があり、これがバケットジョイント部２１へ挿入されてピン２２を通してナット２３で外れないようにされる。
これによりバケット１はピン２２を中心に回動可能になる。
【００３７】
接続金具２の下部には長孔３５、中長孔３６、丸穴３７が設けられている。
長孔３５、中長孔３６、の長さがバケットが回動できる範囲であり回動幅である。回動固定ピン２４を長孔３５を通してバケット側の丸穴３８に差し込めば長孔３５の長さでバケットの回動が制限される。
【００３８】
同様に回動固定ピン２４を中長孔３６を通して丸穴３９へ差し込めばバケットの回動は前記中長孔３６の長さで制限される。
又回動固定ピン２４を丸穴３７を通してバケット側の丸穴４０へ差し込めばバケットの回動は固定される。
どの回動制限手段を選択するかは溝の幅他の作業条件に応じて適宜選択すればよい。
なお、実施例２において長孔３５と中長孔３６を設けているがどちらか一方を設けるだけでよい場合もある。
【００３９】
前記したように図７はバケットの回動機構と回動制限手段を表す実施例２の断面図である。
バケットの回動の中心であるピン２２はバケット１の長さ方向の中間位置よりも開口部２７側に位置している。
【００４０】
バケット１の開口部２７の長さ方向の反対側の非開口部である土砂等の受け側と比較して角張っている。
溝の汚泥等を掃除したり、土砂を掘削するためである。またショベルカーにおいて一般的に、泥や土砂の掬い上げや掘削のために鋭利な部分もある。
それに対して前記非開口部側は角張っておらず特に鋭利な部分もない。
【００４１】
溝１０の掃除作業の際にバケット１はバケットアーム３との平面投影的角度が大きくなっていけば溝１０の内壁に接触して、その内壁から受ける外力によってバケットの回動の中心であるピン２２を中心に回動し、バケットは溝１０に沿うようになる。
この際バケット１の角張った開口部２７が溝１０の内壁に接触すると内壁に損傷を与える恐れがある。
【００４２】
一方、角張っていない、バケットの開口部２７側と反対側の非開口部である土砂等受けの方が接触するのであれば溝１０の内壁に損傷を与える恐れが大きく低下する。
そこでバケットの回動の中心であるピン２２をバケットの長さ方向の中間位置よりも開口部２７の側に配置するようにした。
【００４３】
中間位置とは図７において右側の開口部２７を表す斜め右下がりの線の下端である長さ方向右端と左側の非開口部土砂受け側を表す線の上部の垂直部である長さ方向の左端の中間の位置である。
【００４４】
これによりバケット１の溝１０内での振れ幅は開口部２７側よりも反対側の非開口部である土砂受け側が大きくなる。
即ち開口部２７の反対側の非開口部土砂受け側が主として溝１０の内壁に接触することになる。
そのためにバケット１が溝１０の内壁に損傷を与える可能性が大きく低下する。
【産業上の利用可能性】
【００４５】
本発明によれば道路脇等にある溝の清掃を能率よく行うことが出来るとともに溝の掘削をも行うことが出来、更に困難な場所での溝の掘削も行うことが出来るのでショベルカーの作業範囲が拡大する。
即ち実用的価値が極めて高い。
【符号の説明】
【００４６】
１    バケット
２    接続金具
３    バケットアーム
４    バケットシリンダー
５    アームシリンダー
６    ショベルカー本体
１０  溝
１１  溝の溝蓋部
１２  回動部
１３  バケットアーム基端部
１４  溝の掘削
１５  壁
２０  回動アーム
２１  バケット側ジョイント部
２２  ピン
２３  ナット
２４  回動固定ピン
２５  バケットシリンダーへの取付穴
２６  バケットアームへの取付穴
２７  開口部
２８  固定穴
２９  回動固定片
３０  ピン押し込み穴
３１  ピン押し込み穴
３５  長孔
３６  中長孔
３７  丸穴
３８~４０  バケット側丸穴
【図１】
2020180464.tif 000003
【図２】
2020180464.tif 000004
【図３】
2020180464.tif 000005
【図４】
2020180464.tif 000006
【図５】
2020180464.tif 000007
【図６】
2020180464.tif 000008
【図７】
2020180464.tif 000009
【図８】
2020180464.tif 000010